(57)【特許請求の範囲】
【請求項１】
天井壁から筒体を上向きに突出させ、筒体内を上下方向に貫通させてマンホール口とし、マンホール口に蓋体を被せ、
前記筒体の外壁面に上下方向に貫通する貫通口が形成されたスライド金具を付設する一方、前記蓋体にスライドボルトを設けてなり、
前記スライド金具の貫通口は、筒体に接近する位置もしくは筒体から離れた位置の一方側に広幅の穴を有するとともに、他方側に該広幅の穴に連通する幅狭の穴を有して下膨れ形状に形成され、
また、前記スライドボルトは、貫通口の幅狭の穴の開口幅よりも小さい外径の小径部と、貫通口の幅狭の穴の開口幅よりも大きく、広幅の穴の開口幅よりも小さい外径の中径部と、貫通口の広幅の穴の開口幅よりも大きい外径の大径部とを、上から下へこの順に有してなり、
スライドボルトの中径部が貫通口の幅狭の穴直下に位置するとともに、中径部の上面がスライド金具の下面に当接することで、蓋体が筒体のマンホール口を閉鎖し、
この閉鎖状態から蓋体を水平方向に移動させてスライドボルトの中径部を貫通口の広幅の穴直下に移動させ、さらに、蓋体全体を持ち上げ、スライドボルトを軸として水平方向に回動させることにより、スライドボルトの中径部を貫通口の広幅の穴に挿通させるとともに、スライドボルトの回動を許容してマンホール口を開放し、
この際、スライドボルトの大径部がスライド金具の下面に当接して蓋体の抜け出しが防止されることを特徴とする貯液槽のマンホール構造。
【発明の詳細な説明】
【０００１】
【発明の属する技術分野】
本発明は、貯液槽のマンホール構造に関するもので、例えば、学校や病院などの公共施設、アパートやマンションなどの集合住宅、オフィスビルなどの商用施設、あるいは、工場などに設置される給水設備に好適に用いられる。
【０００２】
【従来の技術】
一般に、給水設備の貯液槽としては、地上や建物の地階などに設置される受水槽、および建物の屋上や高架台上に設置される高置水槽が知られており、このような貯液槽は、詳細には図示しないが、通常、直角四辺形の基板の周縁に基板から同一側へ垂直に起立する接合縁を設けて箱状に形成された単位板を、順にボルトナットによって接続して側壁、底壁および天井壁を形成し、これらの側壁、底壁および天井壁を組み立てることによって形成されている。また、貯液槽内部の点検整備作業や清掃作業を行うために貯液槽の内部に作業者が入る必要があり、このため、天井壁には、１個もしくは複数個のマンホールが設けられている。
【０００３】
マンホール構造としては種々のものが提案されているが、例えば、実公昭６０−７４１７号公報に示されるように、天井壁に用いられる直角四辺形の単位板の基板を中高に隆起させ、隆起部の頂に筒を起立させ、筒内を切欠してマンホールとし、筒の先端に内向きの鍔を設け、マンホールに蓋を被せ、蓋の周りを鍔に当接可能にするとともに、蓋の外周を筒の外で垂下させ、蓋の中心を通り互いに対向する蓋の一部を外方に突出させ、そのうちの一方の突出部を蝶番にし、他方の突出部を係止部としてなるものが貯液槽用として広く採用されている。
【０００４】
上記のようなマンホール構造においては、蓋に形成された二つの突出部のうち一方の突出部の蝶番を軸芯とし、他方の突出部の係止部側を上方に持ち上げて蝶番を通る垂直平面内を回動させることにより、開閉を行う。
【０００５】
このようなマンホール構造は合理的であって、貯液槽の天井壁の上方に障害物がない場合は問題なく採用される。ところが、屋内に設置された貯液槽の天井壁と、建物の天井や梁などとの間隔が小さい場合、蓋体を十分に回動させることができない。例えば、できるだけ多くの液体を貯留したいというユーザーの要望に応えるために、貯液槽の天井壁を高い位置に設定すると、天井壁が建物の天井や梁などに接近し、前述した事態を招来するおそれがある。
【０００６】
このため、貯液槽の天井壁を高い位置に設定することにより、建物の天井や梁などと接近した状態となる場合においても、蓋体を取り付け取り外しすることのできる各種のマンホール構造が提案されている。具体的には、軸受を通る垂直平面内を蓋体が回動できるように軸支することも可能であるばかりでなく、軸受の軸を取り除くことにより、蓋体を軸受から離脱させ、水平方向にスライドさせて取り外すことも可能なマンホール構造（例えば、実公昭５５−１０４５５号公報参照）や、蓋体を水平に取り付けた軸受の軸線回りに回動自在に軸支し、必要に応じて、蓋体を軸受の軸線方向に摺動させて取り外すようにしたマンホール構造（例えば、実開昭５７―３５２９１号公報参照）、さらには、蓋体に設けた係止片を筒体に形成した係合溝に係合させ、係止片による係合溝に対する係合状態を解除することにより、蓋体を上方に持ち上げて取り外すマンホール構造（例えば、実公昭６１−３８３８号公報参照）が知られている。
【０００７】
【発明が解決しようとする課題】
しかしながら、前述した実公昭５５−１０４５５号公報などに記載された発明は、蓋体を水平方向に移動させて、あるいは、上方に持ち上げて筒体から取り外すものである。したがって、蓋体をマンホール口を閉鎖する位置から離脱させて、筒体から取り外した場合、蓋体を貯液槽の天井壁上に置いておくか、貯液槽から床上に下ろして安全な場所に一時的に保管する必要がある。
【０００８】
前者の場合は、天井壁上面の狭く暗い空間を匍匐歩行する際、蓋体に接触したり、蓋体の上面に乗って滑ったりするおそれがある。万が一、蓋体を突き飛ばしたり、蹴飛ばしたりして天井壁から落下させた場合、蓋体が破損したり、床上の機器などに衝突して損傷させるおそれがある。また、貯液槽の天井壁の上に置かれた蓋体の上面に乗って滑ると非常に危険である。
【０００９】
一方、後者の場合は、保守点検や清掃などが終了した後、蓋体を再び天井壁上に持ち上げてマンホール口に取り付ける必要があり、煩雑さが伴う。また、蓋体が歩行や作業の邪魔にならない貯液槽から離れた所に保管されることになるので、繁忙な作業に紛れてうっかり蓋体の取り付けを忘れる可能性がある。その際には、マンホール口からゴミや埃、昆虫などが貯液槽内に侵入することになり、衛生上好ましくない。
【００１０】
本発明は、このような問題点に鑑みてなされたもので、貯液槽の天井壁と建物の天井などとの間隔が小さい場合であっても、蓋体を離脱させることなくマンホール口を開放することのできる貯液槽のマンホール構造を提供するものである。
【００１１】
【課題を解決するための手段】
本発明は、天井壁から筒体を上向きに突出させ、筒体内を上下方向に貫通させてマンホール口とし、マンホール口に蓋体を被せ、前記筒体の外壁面に上下方向に貫通する貫通口が形成されたスライド金具を付設する一方、前記蓋体にスライドボルトを設けてなり、前記スライド金具の貫通口は、筒体に接近する位置もしくは筒体から離れた位置の一方側に広幅の穴を有するとともに、他方側に該広幅の穴に連通する幅狭の穴を有して下膨れ形状に形成され、また、前記スライドボルトは、貫通口の幅狭の穴の開口幅よりも小さい外径の小径部と、貫通口の幅狭の穴の開口幅よりも大きく、広幅の穴の開口幅よりも小さい外径の中径部と、貫通口の広幅の穴の開口幅よりも大きい外径の大径部とを、上から下へこの順に有してなり、スライドボルトの中径部が貫通口の幅狭の穴直下に位置するとともに、中径部の上面がスライド金具の下面に当接することで、蓋体が筒体のマンホール口を閉鎖し、この閉鎖状態から蓋体を水平方向に移動させてスライドボルトの中径部を貫通口の広幅の穴直下に移動させ、さらに、蓋体全体を持ち上げ、スライドボルトを軸として水平方向に回動させることにより、スライドボルトの中径部を貫通口の広幅の穴に挿通させるとともに、スライドボルトの回動を許容してマンホール口を開放し、この際、スライドボルトの大径部がスライド金具の下面に当接して蓋体の抜け出しが防止されることを特徴とするものである。
【００１２】
【発明の実施の形態】
以下、本発明の実施例の形態について図面に基づいて説明する。
【００１３】
図１乃至図９には、本発明の貯液槽のマンホール構造の第１実施形態が示されている。このマンホール１は、飲料水などを貯留する貯液槽の天井壁を構成する単位板１００に形成された円筒状の筒体２と、筒体２のマンホール口２ａを閉鎖可能な略円筒箱状の蓋体３と、蓋体３の突出部３１ａに設けられたスライドボルト４と、スライドボルト４に対応して筒体２の外壁面に設けられたスライド金具５と、から構成されている。
【００１４】
単位板１００の基板１０１から上方に向けて一体的に突出する筒体２の上端には、内方に向かう一定幅の鍔２１が設けられ、その鍔２１の内方が切除されてマンホール口２ａが形成されている。
【００１５】
なお、単位板１００は、直角四辺形の基板１０１の周縁に基板１０１から同一側へ垂直に起立する接合縁１０２を設けて箱状に形成され、単位板１００の接合縁１０２を順にボルトナットによって接続して貯液槽の天井壁や側壁、底壁が形成される。
【００１６】
また、図１に示したマンホール１の単位板１００の基板１０１は、排水性がよいように、全体として接合縁１０２の突出側と逆側へ中高に隆起している。そして、その基板１０１の対角線方向には、上面が平坦なＸ字状の膨出部が設けられている。
【００１７】
蓋体３は、筒体２のマンホール口２ａを覆う大きさを有し、筒体２の鍔２１に当接可能な平坦部３１１を有する略円盤状の蓋部３１と、該蓋部３１の外周縁から筒体２の上端外壁面を覆うように垂下された垂下部３２からなり、蓋部３１の下面（もしくは筒体２の鍔２１の上面）に貼着されたパッキンＰが、蓋体３の平坦部３１１と筒体２の鍔２１によって押圧されるように設定されている。そして、蓋体３の蓋部３１には、その中心を通る直線上の対称位置に平坦部３１１に連続して突出部３１ａ，３１ｂが形成されており、一方の突出部３１ａに形成された小孔（図示せず）にはスライドボルト４が挿通されて、ナットｎにより固定されている。また、他方の突出部３１ｂに形成された小孔（図示せず）には施錠ボルト６が挿通されて、ナットｎにより固定されている。
【００１８】
なお、蓋体３の蓋部３１は、平坦部３１１を除いて全体として垂下部３２の延設方向と逆側へ中高に隆起しており、さらに、この中高の隆起部には、人などが乗った時の撓み防止のために、突出部３１ａ，３１ｂを結ぶ部分を含む十字状の中高の膨出部が形成されている。また、蓋体３の蓋部３１に形成された突出部３１ａに対応する垂下部３２は、一部切欠されており、後述するスライド金具５に蓋体３の垂下部３２が干渉することを防止している（図３参照）。
【００１９】
スライドボルト４は、図６に示すように、ボルト頭部Ｈと躯幹部Ｋからなるボルト４１と、該ボルト４１の躯幹部Ｋの下端に螺合される緩み止め機能を有する逆転防止付きナット４２（例えば、株式会社冨士精密製作所の製造販売に係る商品名Ｕ−ナット（商標）が知られている）からなり、ボルト４１の躯幹部Ｋの上部（ボルト頭部Ｈ寄り）にくびれ部（小径部）４１１が形成され、その下方にくびれ部４１１よりも太い径のネジ部（中径部）４１２が形成され、このネジ部（中径部）４１２に逆転防止付きナット（大径部）４２が螺合される。したがって、スライドボルト４には、ボルト頭部Ｈ寄りの上の方から順に、くびれ部４１１、ネジ部４１２および逆転防止付きナット４２が縦に並ぶことになり、小径部、中径部および大径部が上から下へこの順に形成される。
【００２０】
なお、ボルト４１のネジ部４１２に取り付けられる逆転防止付きナット４２の螺合位置は、蓋体３全体を持ち上げたままスライドボルト４を軸として水平方向に回転させた時に、蓋体３の蓋部３１の外周縁から垂下された垂下部３２の最下端面が筒体２の上端面に接触しないように設定される。
【００２１】
また、ボルト４１のくびれ部４１１の上方（ボルト頭部Ｈ寄り）には、蓋体３の一方の突出部３１ａに固定するためのネジ部４１３が設けられており、このネジ部４１３の外径はネジ部４１２の外径と同じか、もしくはより大きく設定されている。
【００２２】
一方、筒体２の外壁面には、その中心を通る直線上の対称位置にスライド金具５および施錠金具７が固定されている。このスライド金具５は、前述した蓋体３の一方の突出部３１ａに対応し、また、施錠金具７は、他方の突出部３１ｂに対応している。そして、スライド金具５は、図７に示すように、垂直片５１と水平片５２からなるＬ字状板材であって、筒体２の外壁面の曲率半径および傾斜に適合するように形成された垂直片５１には、筒体２にボルト止めするための複数個の穴５１ａが形成されている。また、スライド金具５の水平片５２には、垂直片５１に近い側、すなわち、筒体２寄りに形成された小径の穴５２ａと、垂直片５１から遠い側、すなわち、筒体２から離れた位置に形成されて小径の穴５２ａと連通する大径の穴５２ｂからなる下膨れ形状の貫通口５２ｘが形成されている。
【００２３】
この貫通口５２ｘの小径の穴５２ａは、前述したスライドボルト４のくびれ部（小径部）４１１の外径よりも大きく、ネジ部（中径部）４１２の外径よりも小さく設定されている。また、貫通口５２ｘの大径の穴５２ｂは、スライドボルト４のネジ部（中径部）４１２の外径よりも大きく、そのネジ部４１２に螺合される逆転防止付きナット４２の外径よりも小さく設定されている。
【００２４】
また、蓋体３の他方の突出部３１ｂにナットｎによって固定される施錠ボルト６は、図８に示すように、そのネジ部６１の下方に直径方向に貫通する施錠穴６１ａが形成されており、この施錠穴６１ａに錠Ｌ（図２参照）の掛け金を挿通することができる。
【００２５】
蓋体３の他方の突出部３１ｂに対応する筒体２の外壁面には、施錠金具７が固定されている。この施錠金具７は、図９に示すように、垂直片７１と水平片７２からなるＬ字状板材であって、筒体２の外壁面の曲率半径および傾斜に適合するように形成された垂直片７１には、筒体２にボルト止めするための複数個の穴７１ａが形成されている。また、施錠金具７の水平片７２には、筒体２の半径方向に延びる長穴７２ａが形成されており、この長穴７２ａの幅は、施錠ボルト６のネジ部６１の外径よりも大きく設定されている。
【００２６】
次に、このようなマンホール１を構成する蓋体３の取り付け作業について図１０に基づいて説明する。
【００２７】
まず、筒体２の外壁面の１８０度離れて対向する位置にスライド金具５および施錠金具７をそれぞれボルト止めする。一方、蓋体３の１８０度離れて対向する突出部３１ａ，３１ｂの小孔にそれぞれスライドボルト４のボルト４１および施錠ボルト６をそれぞれ挿通し、それぞれのネジ部４１３，６１にナットｎを螺合して蓋体３に固定する。
【００２８】
次いで、蓋体３を把持し、ボルト４１のネジ部４１２をスライド金具５の貫通口５２ｘの大径の穴５２ｂに臨ませるとともに、施錠ボルト６のネジ部６１を施錠金具７の長穴７２ａに臨ませた後、蓋体３を落とし込み、ボルト４１のネジ部４１２をスライド金具５の貫通口５２ｘの大径の穴５２ｂに、また、施錠ボルト６のネジ部６１を施錠金具７の長穴７２ａにそれぞれ挿通させる。
【００２９】
この後、スライドボルト４のボルト４１のネジ部４１２に逆転防止付きナット４２を螺合してボルト４１の抜け出しを防止する。つまり、逆転防止付きナット４２の外径がスライド金具５に穿たれた貫通口５２ｘの大径の穴５２ｂよりも大きいので、蓋体３を上方に持ち上げても、逆転防止付きナット４２の上面がスライド金具５の下面に当接してそれ以上持ち上がらず、蓋体３と筒体２とは結合された状態のままとなり、この両者を離脱させることはできなくなる。
【００３０】
そして、蓋体３を把持して施錠ボルト６側を僅か持ち上げ、この状態を保ったたまま、蓋体３を図１０において左方向に筒体２の鍔２１の上面に沿ってずらし、距離ｅだけ移動させる。つまり、スライドボルト４のボルト４１に形成されたくびれ部（小径部）４１１をスライド金具５の大径の穴５２ｂから小径の穴５２ａへ移動させるとともに、施錠ボルト６を施錠金具７の長穴７２ａに沿って一端側から他端側へ移動させる。すると、スライドボルト４のボルト４１に形成されたネジ部（中径部）４１２の上端がスライド金具５の下面に当接して、ボルト４１がスライド金具５の小径の穴５２ａから上方に抜け出せない状態となる。    この後、蓋体３の施錠ボルト６側を筒体２の鍔２１の上面に押し付ける。すると、蓋体３の蓋部３１の平坦部３１１の下面（もしくは筒体２の鍔２１の上面）に貼着されたパッキンＰが、蓋体３の平坦部３１１の下面と筒体２の鍔２１の上面とによって押圧され、シールされる。
【００３１】
次いで、施錠ボルト６のネジ部６１に締め付けナット６２を螺合する。すると、締め付けナット６２の上面が施錠金具７の下面に当接して、施錠ボルト６に螺合した締め付けナット６２が施錠金具７の長穴７２ａから上方へ抜け出せない状態となる。
【００３２】
こうして後、施錠ボルト６の下端の施錠穴６１ａに錠Ｌの掛け金を通して施錠する。
【００３３】
この結果、蓋体３のスライドボルト４側も、施錠ボルト６側も、共に上方に持ち上げることができない状態となり、また、蓋体３の下面と筒体２の鍔２１の上面とにより継続的にパッキンＰが押圧されて、シール状態が保たれる。
【００３４】
つまり、マンホール口２ａは蓋体３によって確実に密封され、埃などの侵入が防止される。さらに、施錠ボルト６の下端の施錠穴６１ａに錠Ｌの掛け金が通され施錠されているので、錠Ｌを解錠しない限り蓋体３を移動させて、マンホール口２ａを開放することができない。
【００３５】
すなわち、錠Ｌを解錠することのできる関係者以外の者は、マンホール口２ａを開放できない。
【００３６】
なお、仮に、逆転防止付きナット４２を緩めてボルト４１から取り外したとしても、ボルト４１のネジ部（中径部）４１２の上端部がスライド金具５の貫通口５２ｘの小径の穴５２ａの下面に当接しているので、蓋体３が持ち上がることはない。したがって、飲料水などを安心して貯蔵することができる。
【００３７】
次に、蓋体３によって閉鎖状態にあるマンホール口２ａを開放する手順について、図１１に基づいて説明する。
【００３８】
まず、錠Ｌを解錠し、施錠ボルト６から錠Ｌを除去した後（図１１（ａ）参照）、締め付けナット６２を緩めて離脱させ、蓋体３の施錠ボルト６側を若干持ち上げて、蓋体３を図１１の右方向に距離ｅだけ移動させる（図１１（ｂ）参照）。すると、スライドボルト４のボルト４１の躯幹部Ｋに形成されたくびれ部４１１は、スライド金具５に形成された貫通口５２ｘの小径の穴５２ａから大径の穴５２ｂへと移動し、また、施錠ボルト６は、施錠金具７の長穴７２ａの他端側から一端側へと移動する。
【００３９】
ここに、スライドボルト４のボルト４１のネジ部（中径部）４１２の外径がスライド金具５の貫通口５２ｘの大径の穴５２ｂの穴径よりも小さいので、スライドボルト４のボルト４１のネジ部４１２は、スライド金具５の貫通口５２ｘの大径の穴５２ｂを挿通可能となる。
【００４０】
そこで、蓋体３全体を上方へ持ち上げ、スライドボルト４のボルト４１のネジ部（中径部）４１２をスライド金具５の貫通口５２ｘの大径の穴５２ｂに挿通させる。もっともこの際、スライドボルト４のボルト４１のネジ部（中径部）４１２に螺合されている逆転防止付きナット（大径部）４２の上面がスライド金具５の下面に当接して、蓋体３の抜け出しが防止される。
【００４１】
次いで、蓋体３全体を持ち上げたまま、スライドボルト４を軸として水平方向に回転させる（図１、図２及び図１１（ｄ）参照）。この時、蓋体３の蓋部３１の外周縁から垂下された垂下部３２の最下端面が、筒体２の上端に設けられた鍔２１の上面に沿って回動する。
【００４２】
つまり、スライド金具５の貫通口５２ｘの大径の穴５２ｂに対して遊嵌状態となっているスライドボルト４を軸とし、蓋体３を回動させることによって、マンホール口２ａ上から蓋体３を移動させ、マンホール口２ａを開放することができる。
【００４３】
なお、蓋体３をマンホール口２ａ上から移動させた後においても、逆転防止付きナット（大径部）４２の外径がスライド金具５の貫通口５２ｘの大径の穴５２ｂの穴径よりも大きいので、スライドボルト４が貫通口５２ｘの上に抜け出すことはなく、蓋体３が筒体２から離脱することは防止されている。
【００４４】
この結果、蓋体３は、筒体２から離脱することなく常に連結され、マンホール口２ａを開放した際の蓋体３の所在位置が確実に一定の所に定まることになる。
【００４５】
そこで、屋内に設置された貯液槽の天井壁上面と建物の天井や梁の下面との間の狭く暗い空間を匍匐歩行する際に、たとえ蓋体３に接触したとしても、蓋体３を貯液槽の天井壁から落下させることがない。したがって、蓋体３が落下して破損したり、蓋体３が床上の機器などに衝突して損傷させたりするおそれがない。また、蓋体３が貯液槽の天井壁の上に直接置かれておらず、筒体２の上端近傍の比較的高い位置に常時有るので、この蓋体３を蹴飛ばすことがないばかりでなく、蓋体３の上面に乗って滑ることもなく、安全である。
【００４６】
また、蓋体３が筒体２から離脱することなく常に連結され、マンホール口２ａを開放した際の蓋体３の所在位置が確実に一定の所に定まっているので、保守点検や清掃などが終了した後、蓋体３を取り付ける作業が極めて容易となる。つまり、歩行や作業の邪魔にならない貯液槽から離れた所に保管されている蓋体３を再び貯液槽の天井壁上に持ち上げてマンホール口２ａに取り付けるといった煩雑な作業が不要となる。また、繁忙な作業に紛れて、ついうっかり蓋体３の取付けを忘れるということもなくなる。したがって、蓋体３の取付けを忘れて、開放状態となったマンホール口２ａからゴミや埃、昆虫などが貯液槽内に侵入するということがなく、衛生上好ましい。
【００４７】
なお、前述した実施形態における貯液槽は、単位板１００を順にボルトナットによって接続してタンクに形成するものを例示したが、その他、単位板１００の接合縁１０２をタンク内方もしくは外方に向けてタンク内方の接合部分を溶接してタンクに形成したもの、あるいは、鋼板を溶接してタンクに形成したものなど、何れであってもよい。
【００４８】
また、単位板１００としては、基板１０１から接合縁１０２を直接起立させたものの他、基板１０１と接合縁１０２との間に接合縁１０２に対して約１３５度の角度で傾斜する傾斜部（図示せず）を有するものが使用される。また、単位板１００の基板１０１としては、前述した基板１０１以外に、接合縁１０２の突出側（もしくは反対側）へ膨出したものや、平板状のものが採用され、凹凸模様についても、円形やＸ字状以外に、四角形、八角形、十字状などが採用される。
【００４９】
一方、前述した実施形態のスライドボルト４は、ボルト４１のくびれ部（小径部）４１１、ネジ部（中径部）４１２、およびネジ部（中径部）４１２に螺合された逆転防止付きナット（大径部）４２によって構成されているが、このような構成に限定されるものではない。
【００５０】
例えば、ボルト４１のネジ部（小径部）Ｓに、中径部に相当する外径のナット部（中径部）４３１を有するとともに下端に大径部に相当する外径の鍔部（大径部）４３２を有する鍔付き長ナット４３を螺合させ、さらに、鍔付き長ナット４３の下方にロックナットｎを螺合し締め付けることによって、鍔付き長ナット４３が緩まないようにした構造のものであってもよい（図１２（ａ）参照）。
【００５１】
また、ボルト４１の躯幹部Ｋの小径部に相当する外径の軸部（小径部）Ｊの下部に雄ねじ４１４を形成し、この雄ねじ４１４に中径部に相当する外径のパイプ（中径部）４４、および大径部に相当する外径のストッパー（大径部）４５を順に挿通させ、雄ねじ４１４にナットｎを螺合させるとともに、ナットｎに回り止めビスｂをねじ込んでナットｎの緩み止めとしてもよい。なお、ボルト４１のボルト頭部Ｈの下面と蓋体３の上面との間、および蓋体３の下面とネジ部４１３に螺合されたナットｎの上面との間にはワッシャｗ，ｗが嵌挿されている（図１２（ｂ）参照）。
【００５２】
また、ボルト４１のネジ部（小径部）Ｓの上下方向の中間部に、中径部に相当する外径の２個のロックナット（中径部）ｎ，ｎを螺合させ、締め付け合わせることによって位置決めするとともに、ネジ部Ｓの下端に大径部に相当する外径の鍔（大径部）４６１を有する鍔付きナット４６を螺合させ、鍔付きナット４６に回り止めビスｂをねじ込むようにしてもよい（図１２（ｃ）参照）。
【００５３】
さらに、ボルト４１に代えて上方に小径部に相当するネジ部（小径部）４７１、下方にネジ部４７２を設け、ネジ部４７１とネジ部４７２の中間部に中径部に相当する外径の軸（中径部）４８を備えたネジ棒４７を利用し、ネジ部４７１を蓋体３にワッシャｗ，ｗを介してナットｎ，ｎで固定し、ネジ部４７２に大径部に相当する外径のストッパー（大径部）４５を挿通させた後ロックナットｎ，ｎを螺合させて、ストッパー４５の脱落を防止するようにしてもよい（図１２（ｄ）参照）。
【００５４】
また、前述した実施形態のスライド金具５は、貫通口５２ｘを有する水平片５２とボルト止め用の穴５１ａを有する垂直片５１からなるＬ字状板材で構成されているが、このような構成に限定されるものではない。
【００５５】
例えば、貫通口５２ｘが形成された水平片を有する丁字状板材であってもよく（図１３（ａ）参照）、また、貫通口５２ｘが形成された板材を直接筒体２に溶接や接着で固定するようにしてもよい（図１６参照）。
【００５６】
また、貫通口５２ｘとしては、一方が小径の穴５２ａとされ、他方が小径の穴５２ａに連通する大径の穴５２ｂとされた場合について例示したが、円形状の穴に限定するものではなく、一方が幅狭の穴とされ、他方が幅狭の穴に連通する広幅の穴とされた下膨れ形状であればよい。例えば、一方が角穴で、他方が円形の穴からなる貫通口５２ｘであってもよく（図１３（ａ）（ｂ）参照）、ダルマ状貫通口５２ｘ（図１３（ｃ）参照）あるいは凸字状貫通口５２ｘ（図１３（ｄ）参照）であってもよい。さらに、大径もしくは広幅の穴を筒体２に接近して形成し、小径もしくは幅狭の穴を筒体２から離れた位置に形成してもよい（図１３（ｃ）（ｄ）参照）。
【００５７】
図１４乃至図１７には、本発明のマンホール構造の第２実施形態が示されている。この実施形態のマンホール１は、単位板１００の基板１０１から上方に突出して一体に形成された角筒状の筒体２を備え、また、筒体２のマンホール口２ａを十分に覆う方形状の蓋部３１と、該蓋部３１の外周縁から筒体２の上端外壁面を覆うように垂下された垂下部３２とからなる浅い箱状の蓋体３を備えている。そして、角筒状の筒体２の―の隅部の近傍には貫通口５ｘを有する平板状のスライド金具５が溶着されており、また、該スライド金具５が固定された―の隅部を除く他の３隅部にはそれぞれ長穴７ａを有する平板状の施錠金具７が溶着されていて、そのうちの一つもしくは複数個に施錠される。
【００５８】
また、蓋体３には、前述したスライド金具５の貫通口５ｘを臨む位置に、該貫通口５ｘの幅狭の穴５ａよりも小径の躯幹部（小径部）Ｋを有するボルト４１の頭部が溶着され、このボルト４１の躯幹部Ｋに、貫通口５ｘの幅狭の穴５ａよりも大きく、広幅の穴５ｂよりも小さな外径を有するパイプ（中径部）４４が挿通され、さらに、ボルト４１の躯幹部Ｋの下方に設けられたネジ部４１２に貫通口５ｘの広幅の穴５ｂよりも大きな外径を有する逆転防止付きナット（大径部）４２が螺合されている。これらのボルト４１、パイプ４４および逆転防止付きナット４２によってスライドボルト４が構成されている。
【００５９】
さらに、蓋体３には、施錠金具７の長穴７ａを臨む位置に、該長穴７ａに挿通可能な外径のネジ部６１を有するとともに、ネジ部６１の下端部に施錠穴６１ａを形成した施錠ボルト６の頭部が溶着され、この施錠ボルト６のネジ部６１には、ワッシャｗを介して締め付けナット６２が螺合され、施錠穴６１ａに錠Ｌの掛け金が挿通されて施錠されている。
【００６０】
なお、筒体２の上端縁にはパッキンＰが装着されており、パッキンＰの上面部が蓋体３の裏面に密着してマンホール口２ａを密封している。
【００６１】
したがって、この実施形態においても、マンホール口２ａを開放する場合には次のような作業を行えばよい。まず、錠Ｌを外すとともに、締め付けナット６２およびワッシャｗを離脱させた後、蓋体３を把持して若干持ち上げ、図１５の右方向に移動させ、スライドボルト４の中径部であるパイプ４４を貫通口５ｘの広幅の穴５ｂ側に位置させる。次いで、蓋体３を上方に持ち上げれば、施錠ボルト６が施錠金具７の長孔７ａから引き出されるとともに、スライドボルト４の大径部である逆転防止付きナット４２がスライド金具５の裏面に当接するまで引き上げられる。この状態で、蓋体３を図１４において時計回り方向に回動すれば、蓋体３が貫通口５ｘに挿通されたスライドボルト４を軸として回転し、マンホール口２ａが開放状態となる。
【００６２】
一方、保守点検作業や清掃作業が終了すれば、前述とは逆に、蓋体３を図１４においてスライドボルト４を中心として反時計回り方向に回動させ、施錠ボルト６を施錠金具７の長穴７ａを臨む位置へと移動させた後、蓋体３を図１５の左方向に移動させ、スライドボルト４の中径部であるパイプ４４を貫通口５ｘの幅狭の穴５ａの直下位置に移動させる。この後、蓋体３を筒体２上に載置し、施錠金具７の長穴７ａから下方に突出している施錠ボルト６のネジ部６１にワッシャｗを挿通するとともに、締め付けナット６２を螺合させ、施錠穴６１ａに錠Ｌを掛けて施錠する。
【００６３】
この結果、マンホール口２ａを開放するように蓋体３を移動させた場合、蓋体３は筒体２から離脱することなく一定位置に保持されていることから、蓋体３にけつまずいたり、蹴飛ばすことがなく、安全に点検作業などを行うことができる。
【００６４】
図１８には、本発明のマンホール構造の第３実施形態が示されている。この実施形態の貯液槽は、単位板１００を順に接続して形成されたものに代えて、一体に形成されたものである。この図１８の貯液槽は、外装板と内装板との間に発泡体などの断熱材ｉを有するサンドイッチ構造とされており、保温容器で例示されている。
【００６５】
そして、この実施形態のマンホール１の筒体２は、傾斜した天井壁から上方に向けて一体に突出して形成されており、この筒体２にも、外装板と内装板との間に断熱材ｉが配設されている。また、筒体２の外壁面の１８０度離れた対向する位置には、Ｌ字状板材からなるスライド金具５および施錠金具７がそれぞれ固定されている。スライド金具５の水平片５２には、凸字状の貫通口５２ｘが形成され、施錠金具７の水平片７２には、方形状の長穴７２ａが形成されている。
【００６６】
このような構成においても、前述した実施形態の場合と同様に、図示しない蓋体を左右方向に移動させて持ち上げ、回動させることにより、マンホール口２ａを開放することができるものであり、詳細な説明は省略する。
【００６７】
なお、図１８に示した貯液槽は、保温容器で例示したが、保温容器に限定するものではなく、一体型の貯液槽に適用することができる。
【００６８】
【発明の効果】
以上のように本発明によれば、天井壁から筒体を上向きに突出させ、筒体内を上下方向に貫通させてマンホール口とし、マンホール口に蓋体を被せ、前記筒体の外壁面に上下方向に貫通する貫通口が形成されたスライド金具を付設する一方、前記蓋体にスライドボルトを設けてなり、前記スライド金具の貫通口は、筒体に接近する位置もしくは筒体から離れた位置の一方側に広幅の穴を有するとともに、他方側に該広幅の穴に連通する幅狭の穴を有して下膨れ形状に形成され、また、前記スライドボルトは、貫通口の幅狭の穴の開口幅よりも小さい外径の小径部と、貫通口の幅狭の穴の開口幅よりも大きく、広幅の穴の開口幅よりも小さい外径の中径部と、貫通口の広幅の穴の開口幅よりも大きい外径の大径部とを、上から下へこの順に有してなり、スライドボルトの中径部が貫通口の幅狭の穴直下に位置するとともに、中径部の上面がスライド金具の下面に当接することで、蓋体が筒体のマンホール口を閉鎖し、この閉鎖状態から蓋体を水平方向に移動させてスライドボルトの中径部を貫通口の広幅の穴直下に移動させ、さらに、蓋体全体を持ち上げ、スライドボルトを軸として水平方向に回動させることにより、スライドボルトの中径部を貫通口の広幅の穴に挿通させるとともに、スライドボルトの回動を許容してマンホール口を開放し、この際、スライドボルトの大径部がスライド金具の下面に当接して蓋体の抜け出しが防止されることから、貯液槽の天井壁と建物の天井や梁などとの間隔が小さい場合であっても、蓋体を離脱させることなくマンホール口を確実に開放することができる。
【００６９】
この結果、マンホール口を開放した場合、蓋体の所在位置は一定となることから、作業者が蓋体につまづくおそれがない他、蹴飛ばすこともなく、蓋体の上に乗って足を滑らせるおそれもない。また、蓋体が天井壁から落下することがないので、蓋体が落下した衝撃によって破損したり、床上の機器などを損傷させることもない。
【図面の簡単な説明】
【図１】本発明の貯液槽のマンホール構造の一実施形態を一部破断して示す平面図である。
【図２】図１のマンホール構造を一部破断して示す正面図である。
【図３】図１のマンホール構造を一部省略して示す右側面図である。
【図４】図２のＵ部の拡大図である。
【図５】図２のＶ部の拡大図である。
【図６】スライドボルトを示す斜視図である。
【図７】スライド金具を示す斜視図である。
【図８】施錠ボルトを示す斜視図である。
【図９】施錠金具を示す斜視図である。
【図１０】本発明のマンホール構造の蓋体の取り付け手順を示す説明図である。
【図１１】本発明のマンホール構造の蓋体の開放手順を示す説明図である。
【図１２】スライドボルトの他の変形例を示す断面図である。
【図１３】スライド金具の他の変形例を示す斜視図である。
【図１４】本発明の貯液槽のマンホール構造の他の実施形態を一部破断して示す平面図である。
【図１５】図１４のＡ−Ａ線断面図である。
【図１６】図１５のＷ部の拡大図である。
【図１７】図１５のＸ部の拡大図である。
【図１８】本発明のマンホール構造のもう一つの実施形態を蓋体を除いて一部破断して示す斜視図である。
【符号の説明】
１  マンホール
２  筒体
２ａ  マンホール口
３  蓋体
３１  蓋部
３２  垂下部
４  スライドボルト
４１  ボルト
４１１  くびれ部（小径部）
４１２  ネジ部（中径部）
４２  逆転防止付きナット（大径部）
５  スライド金具
５２  水平片
５２ａ  小径の穴
５２ｂ  大径の穴
５２ｘ  貫通口
６  施錠ボルト
６１ａ  施錠穴
７  施錠金具
７２  水平片
７２ａ  長穴
【図１】
0003847937.tif 000002
【図２】
0003847937.tif 000003
【図３】
0003847937.tif 000004
【図４】
0003847937.tif 000005
【図５】
0003847937.tif 000006
【図６】
0003847937.tif 000007
【図７】
0003847937.tif 000008
【図８】
0003847937.tif 000009
【図９】
0003847937.tif 000010
【図１０】
0003847937.tif 000011
【図１１】
0003847937.tif 000012
【図１２】
0003847937.tif 000013
【図１３】
0003847937.tif 000014
【図１４】
0003847937.tif 000015
【図１５】
0003847937.tif 000016
【図１６】
0003847937.tif 000017
【図１７】
0003847937.tif 000018
【図１８】
0003847937.tif 000019